(57)【要約】【課題】ネットワーク識別情報を用いた電力線通信を行う構成において、装置間の良好な通信を実現する。【解決手段】電力情報を取得する電力情報取得装置であって、同じネットワークに属する子装置であって前記電力情報の送信先となる子装置と、前記ネットワークの識別情報を用いて電力線経由で通信する通信部と、前記電力情報取得装置の起動時において、使用中の前記識別情報の通知を他の１または複数の前記電力情報取得装置から受ける取得処理を行う通信制御部とを備え、前記通信制御部は、前記取得処理において取得した１または複数の前記識別情報と重複しない前記識別情報を自己の前記電力情報取得装置の前記識別情報として設定する設定処理を行う。【選択図】図５
2018207652.tif 000002
【特許請求の範囲】
【請求項１】
電力情報を取得する電力情報取得装置であって、
同じネットワークに属する子装置であって前記電力情報の送信先となる子装置と、前記ネットワークの識別情報を用いて電力線経由で通信する通信部と、
前記電力情報取得装置の起動時において、使用中の前記識別情報の通知を他の１または複数の前記電力情報取得装置から受ける取得処理を行う通信制御部とを備え、
前記通信制御部は、前記取得処理において取得した１または複数の前記識別情報と重複しない前記識別情報を自己の前記電力情報取得装置の前記識別情報として設定する設定処理を行う、電力情報取得装置。
【請求項２】
前記通信制御部は、前記電力情報取得装置の再起動時において前記取得処理および前記設定処理を行い、前記設定処理において、前記取得処理において取得した１または複数の前記識別情報に前回設定した前記識別情報と同じ前記識別情報が含まれている場合、新たな前記識別情報を設定し、同じ前記識別情報が含まれていない場合、前記識別情報の設定を維持する、請求項１に記載の電力情報取得装置。
【請求項３】
前記通信制御部は、前記設定処理の実行後、定期的または不定期に前記取得処理および前記設定処理を行い、前記設定処理において、前記取得処理において取得した１または複数の前記識別情報に前回設定した前記識別情報と同じ前記識別情報が含まれている場合、新たな前記識別情報を設定し、同じ前記識別情報が含まれていない場合、前記識別情報の設定を維持する、請求項１または請求項２に記載の電力情報取得装置。
【請求項４】
電力情報を取得する電力情報取得装置における通信制御方法であって、
前記電力情報取得装置の起動時において、使用中のネットワークの識別情報の通知を他の１または複数の前記電力情報取得装置から受ける取得処理を行うステップと、
前記取得処理において取得した１または複数の前記識別情報と重複しない前記識別情報を自己の前記電力情報取得装置の前記識別情報として設定するステップと、
同じネットワークに属する子装置であって前記電力情報の送信先となる子装置と、設定した前記識別情報を用いて電力線経由で通信するステップとを含む、通信制御方法。
【発明の詳細な説明】
【技術分野】
【０００１】
本発明は、電力情報取得装置および通信制御方法に関する。
【背景技術】
【０００２】
節電等の目的から家庭および職場における消費電力量を測定し、電力会社等のサーバへ送信する電力情報収集システムが開発されている。
【０００３】
電力情報収集システムでは、たとえば電力線通信（ＰＬＣ：Ｐｏｗｅｒ  Ｌｉｎｅ  Ｃｏｍｍｕｎｉｃａｔｉｏｎｓ）を利用して、各スマートメータからの電力情報がコンセントレータにおいて集約され、電力会社等のサーバへ送信される（たとえば、非特許文献１（ＩＴＵ−Ｔ  Ｇ．９９５５／Ｇ．９９５６）参照）。
【０００４】
また、非特許文献２（一般社団法人  情報通信技術委員会、「ＴＲ−１０５２  ＨＥＭＳ−スマートメーター（Ｂルート）通信インタフェース実装詳細ガイドライン  第１．０版」、２０１４年３月１７日制定）には、スマートメーター・ＨＥＭＳ（コントローラ）間の通信、いわゆるＢルートについてＥＣＨＯＮＥＴ  Ｌｉｔｅ（登録商標）によるＢルートアプリケーションのための下位レイヤ通信インタフェースの実装ガイドラインが記載されている。
【先行技術文献】
【非特許文献】
【０００５】
【非特許文献１】ＩＴＵ−Ｔ  Ｇ．９９５５／Ｇ．９９５６
【非特許文献２】一般社団法人  情報通信技術委員会、「ＴＲ−１０５２  ＨＥＭＳ−スマートメーター（Ｂルート）通信インタフェース実装詳細ガイドライン  第１．０版」、２０１４年３月１７日制定
【発明の概要】
【発明が解決しようとする課題】
【０００６】
たとえば非特許文献２に記載のシステムでは、ＰＬＣを伝送媒体とした、スマートメータおよびＨＥＭＳ（Ｈｏｍｅ  Ｅｎｅｒｇｙ  Ｍａｎａｇｅｍｅｎｔ  Ｓｙｓｔｅｍ）から構成されるＰＡＮ（Ｐｅｒｓｏｎａｌ  Ａｒｅａ  Ｎｅｔｗｏｒｋ）が形成される。このＰＡＮでは、スマートメータおよびＨＥＭＳが１対１で接続され、ＰＡＮ＿ＩＤ（Ｐｅｒｓｏｎａｌ  Ａｒｅａ  Ｎｅｔｗｏｒｋ  Ｉｄｅｎｔｉｆｉｃａｔｉｏｎ）がネットワーク識別情報として用いられる。
【０００７】
このようなシステムにおいて、ネットワーク識別情報が複数の装置間で重複した場合、スマートメータにおいて取得された電力情報が意図しないＨＥＭＳへ送られる可能性がある。しかしながら、非特許文献２には、ＰＬＣを利用したシステムにおいて、このような問題点を解決するための構成は開示されていない。
【０００８】
この発明は、上述の課題を解決するためになされたもので、その目的は、ネットワーク識別情報を用いた電力線通信を行う構成において、装置間の良好な通信を実現することが可能な電力情報取得装置および通信制御方法を提供することである。
【課題を解決するための手段】
【０００９】
（１）上記課題を解決するために、この発明のある局面に係わる電力情報取得装置は、電力情報を取得する電力情報取得装置であって、同じネットワークに属する子装置であって前記電力情報の送信先となる子装置と、前記ネットワークの識別情報を用いて電力線経由で通信する通信部と、前記電力情報取得装置の起動時において、使用中の前記識別情報の通知を他の１または複数の前記電力情報取得装置から受ける取得処理を行う通信制御部とを備え、前記通信制御部は、前記取得処理において取得した１または複数の前記識別情報と重複しない前記識別情報を自己の前記電力情報取得装置の前記識別情報として設定する設定処理を行う。
【００１０】
（４）上記課題を解決するために、この発明のある局面に係わる通信制御方法は、電力情報を取得する電力情報取得装置における通信制御方法であって、前記電力情報取得装置の起動時において、使用中のネットワークの識別情報の通知を他の１または複数の前記電力情報取得装置から受ける取得処理を行うステップと、前記取得処理において取得した１または複数の前記識別情報と重複しない前記識別情報を自己の前記電力情報取得装置の前記識別情報として設定するステップと、同じネットワークに属する子装置であって前記電力情報の送信先となる子装置と、設定した前記識別情報を用いて電力線経由で通信するステップとを含む。
【００１１】
本発明は、このような特徴的な処理部を備える電力情報取得装置として実現できるだけでなく、かかる特徴的な処理のステップをコンピュータに実行させるためのプログラムとして実現することができる。また、本発明は、電力情報取得装置の一部または全部を実現する半導体集積回路として実現したり、電力情報取得装置を含むシステムとして実現したりすることができる。
【発明の効果】
【００１２】
本発明によれば、ネットワーク識別情報を用いた電力線通信を行う構成において、装置間の良好な通信を実現することができる。
【図面の簡単な説明】
【００１３】
【図１】図１は、本発明の実施の形態に係る電力情報収集システムの構成を示す図である。
【図２】図２は、本発明の実施の形態に係る電力情報収集システムにおける各機器および配線状態の一例を示す図である。
【図３】図３は、本発明の実施の形態に係る電力情報収集システムにおけるＡルートのネットワークトポロジの一例を示す図である。
【図４】図４は、本発明の実施の形態に係る電力情報収集システムにおけるＢルートのネットワークトポロジの一例を示す図である。
【図５】図５は、本発明の実施の形態に係る電力情報収集システムにおける電力情報取得装置の構成を示す図である。
【図６】図６は、本発明の実施の形態に係る電力情報収集システムにおけるネットワーク識別情報の設定シーケンスの一例を示す図である。
【図７】図７は、本発明の実施の形態に係る電力情報取得装置が取得処理および設定処理を行う際の動作手順を定めたフローチャートである。
【発明を実施するための形態】
【００１４】
最初に、本発明の実施形態の内容を列記して説明する。
【００１５】
（１）本発明の実施の形態に係る電力情報取得装置は、電力情報を取得する電力情報取得装置であって、同じネットワークに属する子装置であって前記電力情報の送信先となる子装置と、前記ネットワークの識別情報を用いて電力線経由で通信する通信部と、前記電力情報取得装置の起動時において、使用中の前記識別情報の通知を他の１または複数の前記電力情報取得装置から受ける取得処理を行う通信制御部とを備え、前記通信制御部は、前記取得処理において取得した１または複数の前記識別情報と重複しない前記識別情報を自己の前記電力情報取得装置の前記識別情報として設定する設定処理を行う。
【００１６】
このように、電力情報取得装置の起動時において、他の電力情報取得装置において使用中のネットワーク識別情報を他の電力情報取得装置から通知させ、使用中のネットワーク識別情報と重複しないように自己のネットワーク識別情報を設定する構成により、電力情報取得装置間のネットワーク識別情報の重複を防ぎ、電力情報取得装置において取得された電力情報が意図しない子装置へ送られることを防ぐことができる。したがって、ネットワーク識別情報を用いた電力線通信を行う構成において、装置間の良好な通信を実現することができる。
【００１７】
（２）好ましくは、前記通信制御部は、前記電力情報取得装置の再起動時において前記取得処理および前記設定処理を行い、前記設定処理において、前記取得処理において取得した１または複数の前記識別情報に前回設定した前記識別情報と同じ前記識別情報が含まれている場合、新たな前記識別情報を設定し、同じ前記識別情報が含まれていない場合、前記識別情報の設定を維持する。
【００１８】
このように、電力情報取得装置の起動時のうち、特に再起動時において取得処理および設定処理を行う構成により、電力情報取得装置の最初の起動時には同じネットワーク識別情報を使用する他の電力情報取得装置が通信先として存在しなかったが、居住者の変化等により電力線におけるノイズ等の通信環境が変わり、他の電力情報取得装置が通信先として存在するようになった場合において、電力情報取得装置間のネットワーク識別情報の重複を効果的に排除することができる。
【００１９】
（３）好ましくは、前記通信制御部は、前記設定処理の実行後、定期的または不定期に前記取得処理および前記設定処理を行い、前記設定処理において、前記取得処理において取得した１または複数の前記識別情報に前回設定した前記識別情報と同じ前記識別情報が含まれている場合、新たな前記識別情報を設定し、同じ前記識別情報が含まれていない場合、前記識別情報の設定を維持する。
【００２０】
このように、電力情報取得装置の起動時に加えて、その後の運用時において引き続き取得処理および設定処理を行う構成により、居住者の電気機器の使用状況の変化等により電力線におけるノイズ等の通信環境が変わり、他の電力情報取得装置が通信先として存在するようになった場合において、電力情報取得装置間のネットワーク識別情報の重複を効果的に排除することができる。
【００２１】
（４）本発明の実施の形態に係る通信制御方法は、電力情報を取得する電力情報取得装置における通信制御方法であって、前記電力情報取得装置の起動時において、使用中のネットワークの識別情報の通知を他の１または複数の前記電力情報取得装置から受ける取得処理を行うステップと、前記取得処理において取得した１または複数の前記識別情報と重複しない前記識別情報を自己の前記電力情報取得装置の前記識別情報として設定するステップと、同じネットワークに属する子装置であって前記電力情報の送信先となる子装置と、設定した前記識別情報を用いて電力線経由で通信するステップとを含む。
【００２２】
このように、電力情報取得装置の起動時において、他の電力情報取得装置において使用中のネットワーク識別情報を他の電力情報取得装置から通知させ、使用中のネットワーク識別情報と重複しないように自己のネットワーク識別情報を設定する方法により、電力情報取得装置間のネットワーク識別情報の重複を防ぎ、電力情報取得装置において取得された電力情報が意図しない子装置へ送られることを防ぐことができる。したがって、ネットワーク識別情報を用いた電力線通信を行う構成において、装置間の良好な通信を実現することができる。
【００２３】
以下、本発明の実施の形態について図面を用いて説明する。なお、図中同一または相当部分には同一符号を付してその説明は繰り返さない。
【００２４】
［システム構成］
図１は、本発明の実施の形態に係る電力情報収集システムの構成を示す図である。
【００２５】
図１を参照して、電力情報収集システム２０１は、１または複数の電力情報取得装置１０１と、１または複数のＨＥＭＳ（Ｈｏｍｅ  Ｅｎｅｒｇｙ  Ｍａｎａｇｅｍｅｎｔ  Ｓｙｓｔｅｍ）１０５と、１または複数のコンセントレータ１０２と、サーバ１０３とを備える。
【００２６】
電力情報取得装置１０１は、たとえばスマートメータである。サーバ１０３は、たとえばヘッドエンドである。
【００２７】
電力情報収集システム２０１は、たとえば集合住宅１５１において用いられる。各電力情報取得装置１０１は、電力線１６１を介してコンセントレータ１０２に接続されている。具体的には、電力線１６１は、たとえば、集合住宅１５１において上下階に縦方向に複数系統が配設されており、階ごとに電力情報取得装置１０１が接続されている。
【００２８】
電力情報取得装置１０１およびコンセントレータ１０２は、電力線１６１を用いた電力線通信により、各種情報をやり取りする。電力情報取得装置１０１は、当該電力線通信における子装置であり、コンセントレータ１０２は、当該電力線通信における親装置である。
【００２９】
電力情報取得装置１０１は、たとえば、通信機能付きの電力計量器であり、集合住宅１５１における家庭で消費される電力を計測し、計測結果を電力情報として取得する。
【００３０】
また、たとえば、電力情報取得装置１０１は、電力線１６１を介してＨＥＭＳ１０５と接続されている。電力情報取得装置１０１およびＨＥＭＳ１０５は、電力線１６１を用いた電力線通信により、各種情報をやり取りする。
【００３１】
電力情報取得装置１０１は、たとえば電力の計測対象の家庭に設けられているＨＥＭＳ１０５を管理する。すなわち、電力情報取得装置１０１およびＨＥＭＳ１０５の関係は、親装置および子装置の関係である。
【００３２】
電力情報取得装置１０１は、たとえば、取得した電力情報を子装置であるＨＥＭＳ１０５へ送信する。ＨＥＭＳ１０５は、たとえば、集合住宅１５１における家庭に設けられ、家庭内において使用される個々の電気機器の電力に関する情報を収集するとともに、電力情報取得装置１０１から電力情報を受信する（図１に示す「Ｂルート」）。ＨＥＭＳ１０５は、たとえば、収集した電力に関する情報、および受信した電力情報を家庭の居住者に提供する。
【００３３】
また、電力情報取得装置１０１は、取得した電力情報をコンセントレータ１０２へ送信する（図１に示す「Ａルート」）。より詳細には、電力情報取得装置１０１は、たとえば他の電力情報取得装置１０１とコンセントレータ１０２との通信を中継することが可能である。すなわち、電力情報取得装置１０１は、たとえば、取得した電力情報を他の電力情報取得装置１０１を介さずにコンセントレータ１０２へ直接送信する場合もあるし、また、取得した電力情報を１または複数の他の電力情報取得装置１０１を介してコンセントレータ１０２へ送信する場合もある。
【００３４】
コンセントレータ１０２は、各電力情報取得装置１０１から電力情報を受信する。コンセントレータ１０２は、各電力情報取得装置１０１から受信した電力情報を集約するかまたは個別にサーバ１０３へ送信する。
【００３５】
コンセントレータ１０２およびサーバ１０３は、有線通信または無線通信により、インターネット１０経由で各種情報をやり取りする。
【００３６】
コンセントレータ１０２および電力情報取得装置１０１間の通信、電力情報取得装置１０１およびＨＥＭＳ１０５間の通信、ならびに各電力情報取得装置１０１間の通信は、たとえばＣＳＭＡ／ＣＤ（Ｃａｒｒｉｅｒ  Ｓｅｎｓｅ  Ｍｕｌｔｉｐｌｅ  Ａｃｃｅｓｓ  ｗｉｔｈ  Ｃｏｌｌｉｓｉｏｎ  Ｄｅｔｅｃｔｉｏｎ）方式に従って行われる。
【００３７】
たとえば、電力情報取得装置１０１、コンセントレータ１０２、サーバ１０３およびＨＥＭＳ１０５間で送受信される情報は、所定の方式に従い暗号化および復号化される。
【００３８】
図２は、本発明の実施の形態に係る電力情報収集システムにおける各機器および配線状態の一例を示す図である。図２では、集合住宅１５１における２系統の電力線１６１Ａ，１６１Ｂを代表的に示す。
【００３９】
図２を参照して、電力系統１７１からたとえば６．６ｋＶの三相交流電力が集合住宅１５１に供給される。電力系統１７１からの交流電力は、たとえばトランス１０４Ａ，１０４Ｂにより２００Ｖの単相三線式の交流電力に変換されて各階に供給される。
【００４０】
電力線１６１Ａには、トランス１０４Ａ、ならびにコンセントレータ１０２Ａ、電力情報取得装置１０１Ａ〜１０１ＤおよびＨＥＭＳ１０５Ａ〜１０５Ｄが接続されており、電力線１６１Ｂには、トランス１０４Ｂ、ならびにコンセントレータ１０２Ｂ、電力情報取得装置１０１Ｆ，１０１ＧおよびＨＥＭＳ１０５Ｆ，１０５Ｇが接続されている。
【００４１】
以下、コンセントレータ１０２Ａ，１０２Ｂの各々をコンセントレータ１０２とも称する。電力情報取得装置１０１Ａ〜１０１Ｄ，１０１Ｆ，１０１Ｇの各々を電力情報取得装置１０１とも称する。ＨＥＭＳ１０５Ａ〜１０５Ｄ，１０５Ｆ，１０５Ｇの各々をＨＥＭＳ１０５とも称する。トランス１０４Ａ，１０４Ｂの各々をトランス１０４とも称する。電力線１６１Ａ，１６１Ｂの各々を電力線１６１とも称する。
【００４２】
［ネットワークトポロジ］
コンセントレータ１０２、電力情報取得装置１０１およびＨＥＭＳ１０５は、たとえばＰＡＮ＿ＩＤ（Ｐｅｒｓｏｎａｌ  Ａｒｅａ  Ｎｅｔｗｏｒｋ  Ｉｄｅｎｔｉｆｉｃａｔｉｏｎ）およびショートアドレスを含むアドレスを有する。以下、ＰＡＮ＿ＩＤおよびショートアドレスがそれぞれＸＸＸＸおよびＹであるアドレスをＸＸＸＸ：Ｙと表わす場合がある。
【００４３】
電力情報取得装置１０１は、たとえば、Ａルートにおける通信に用いるアドレス（以下、Ａアドレスとも称する。）、およびＢルートにおける通信に用いるアドレス（以下、Ｂアドレスとも称する。）を有する。たとえば、ＡアドレスにおけるＰＡＮ＿ＩＤの値の設定範囲、およびＢアドレスにおけるＰＡＮ＿ＩＤの値の設定範囲は、通信規格により互いに重複しないように定められている。
【００４４】
［Ａルートのネットワークトポロジ］
図３は、本発明の実施の形態に係る電力情報収集システムにおけるＡルートのネットワークトポロジの一例を示す図である。
【００４５】
図３を参照して、各コンセントレータ１０２は、たとえばＡアドレスを有する。より詳細には、たとえば、各コンセントレータ１０２のＡアドレスにおけるＰＡＮ＿ＩＤは、互いに異なる値に設定されている。また、各コンセントレータ１０２のＡアドレスにおけるショートアドレスは、たとえばゼロに設定されている。なお、各コンセントレータ１０２のＡアドレスにおけるショートアドレスは、ゼロ以外の値に設定することも可能である。
【００４６】
コンセントレータ１０２は、たとえば、１または複数の電力情報取得装置１０１を管理し、管理対象の電力情報取得装置１０１と認証情報、電力情報、および時刻同期に関する情報等のやり取りを行う。
【００４７】
電力情報取得装置１０１は、電力情報の送信先となるコンセントレータ１０２を検索して通信接続を確立することが可能である。具体的には、電力情報取得装置１０１Ａは、コンセントレータ１０２の管理下にない場合、コンセントレータ１０２を検索し、検索結果に基づいてたとえばコンセントレータ１０２Ａと通信接続を確立する。
【００４８】
この場合、電力情報取得装置１０１Ａは、たとえば認証情報、電力情報、および時刻同期に関する情報等のやり取りをコンセントレータ１０２Ａと直接行う。
【００４９】
また、電力情報取得装置１０１Ｂ，１０１Ｃは、コンセントレータ１０２の管理下にない場合、コンセントレータ１０２を検索し、検索結果に基づいてたとえば電力情報取得装置１０１Ａを介してコンセントレータ１０２Ａと通信接続を確立する。
【００５０】
この場合、電力情報取得装置１０１Ｂ，１０１Ｃは、たとえば電力情報取得装置１０１Ａを介してコンセントレータ１０２Ａと認証情報、電力情報、および時刻同期に関する情報等のやり取りを行う。すなわち、電力情報取得装置１０１Ａは、コンセントレータ１０２Ａおよび電力情報取得装置１０１Ｂ間、ならびにコンセントレータ１０２Ａおよび電力情報取得装置１０１Ａ間においてやり取りされる情報を中継するためのホップ先となる。
【００５１】
同様に、電力情報取得装置１０１Ｄは、コンセントレータ１０２の管理下にない場合、コンセントレータ１０２を検索し、検索結果に基づいてたとえば電力情報取得装置１０１Ａ，１０１Ｂを介してコンセントレータ１０２Ａと通信接続を確立する。この場合、電力情報取得装置１０１Ｄは、たとえば電力情報取得装置１０１Ａ，１０１Ｂを介してコンセントレータ１０２Ａと認証情報、電力情報、および時刻同期に関する情報等のやり取りを行う。すなわち、電力情報取得装置１０１Ａ，１０１Ｂは、コンセントレータ１０２Ａおよび電力情報取得装置１０１Ｄ間においてやり取りされる情報を中継するためのホップ先となる。
【００５２】
なお、電力情報取得装置１０１Ｂ，１０１Ｃ，１０１Ｄの少なくともいずれか１つが、電力情報取得装置１０１Ａと同様に、検索結果に基づいて他の電力情報取得装置１０１を介さずにコンセントレータ１０２Ａと通信接続を確立してもよい。
【００５３】
コンセントレータ１０２Ａの管理下にある電力情報取得装置１０１Ａ，１０１Ｂ，１０１Ｃ，１０１ＤのＡアドレスにおけるＰＡＮ＿ＩＤは、コンセントレータ１０２ＡのＡアドレスにおけるＰＡＮ＿ＩＤと同じ０００１である。また、電力情報取得装置１０１Ａ，１０１Ｂ，１０１Ｃ，１０１ＤのＡアドレスにおけるショートアドレスは、ゼロ以外の値であって互いに重複しない値、たとえばそれぞれ１，２，３，４である。電力情報取得装置１０１Ａ，１０１Ｂ，１０１Ｃ，１０１ＤのＡアドレスは、たとえばコンセントレータ１０２Ａにより付与される。
【００５４】
以下、ＡルートにおけるＰＡネットワークをＰＡネットワークＮＷ１とも称する。具体的には、コンセントレータ１０２Ａ、およびコンセントレータ１０２Ａの管理対象の電力情報取得装置１０１Ａ，１０１Ｂ，１０１Ｃ，１０１Ｄは、ＰＡネットワークＮＷ１Ａを形成する。
【００５５】
同様に、コンセントレータ１０２Ｂは、たとえば電力情報取得装置１０１Ｆ，１０１Ｇを管理する。コンセントレータ１０２Ｂの管理下にある電力情報取得装置１０１Ｆ，１０２ＧのＡアドレスにおけるＰＡＮ＿ＩＤは、たとえばコンセントレータ１０２ＢのＡアドレスにおけるＰＡＮ＿ＩＤと同じ０００２である。また、電力情報取得装置１０１Ｆ，１０１ＧのＡアドレスにおけるショートアドレスは、ゼロ以外の値であって互いに重複しない値、たとえばそれぞれ１および２である。電力情報取得装置１０１Ｆ，１０１ＧのＡアドレスは、たとえばコンセントレータ１０２Ｂにより付与される。
【００５６】
コンセントレータ１０２Ｂ、およびコンセントレータ１０２Ｂの管理対象の電力情報取得装置１０１Ｆ，１０１Ｇは、ＰＡネットワークＮＷ１Ｂを形成する。
【００５７】
すなわち、コンセントレータ１０２および電力情報取得装置１０１がどのＰＡネットワークに属しているかは、ＡアドレスにおけるＰＡＮ＿ＩＤによって判別することが可能である。
【００５８】
［Ｂルートのネットワークトポロジ］
図４は、本発明の実施の形態に係る電力情報収集システムにおけるＢルートのネットワークトポロジの一例を示す図である。
【００５９】
図４を参照して、各電力情報取得装置１０１は、たとえばＢアドレスを有する。より詳細には、たとえば、各電力情報取得装置１０１のＢアドレスにおけるＰＡＮ＿ＩＤは、互いに異なる値に設定されている。また、各電力情報取得装置１０１のＢアドレスにおけるショートアドレスは、たとえばゼロに設定されている。なお、各電力情報取得装置１０１のＢアドレスにおけるショートアドレスは、ゼロ以外の値に設定することも可能である。
【００６０】
電力情報取得装置１０１は、たとえば、１つのＨＥＭＳ１０５を管理し、管理対象のＨＥＭＳ１０５と電力情報等のやり取りを行う。
【００６１】
具体的には、電力情報取得装置１０１Ａ，１０１Ｂは、たとえばＨＥＭＳ１０５Ａ，１０５Ｂをそれぞれ管理する。
【００６２】
ＨＥＭＳ１０５は、電力情報の取得先となる電力情報取得装置１０１を検索して通信接続を確立することが可能である。具体的には、ＨＥＭＳ１０５Ａは、電力情報取得装置１０１の管理下にない場合、電力情報取得装置１０１を検索し、検索結果に基づいてたとえば電力情報取得装置１０１Ａと通信接続を確立する。
【００６３】
電力情報取得装置１０１Ａの管理下にあるＨＥＭＳ１０５ＡのＢアドレスにおけるＰＡＮ＿ＩＤは、電力情報取得装置１０１ＡのＢアドレスにおけるＰＡＮ＿ＩＤと同じＦ０ＦＡである。また、電力情報取得装置１０１Ｂの管理下にあるＨＥＭＳ１０５ＢのＢアドレスにおけるＰＡＮ＿ＩＤは、電力情報取得装置１０１ＢのＢアドレスにおけるＰＡＮ＿ＩＤと同じＦ０ＦＢである。
【００６４】
また、ＨＥＭＳ１０５Ａ，１０５Ｂのショートアドレスは、ゼロ以外の値、たとえば１である。ＨＥＭＳ１０５Ａ，１０５ＢのＢアドレスは、たとえば電力情報取得装置１０１Ａ，１０１Ｂによりそれぞれ付与される。
【００６５】
以下、ＢルートにおけるＰＡネットワークをＰＡネットワークＮＷ２とも称する。具体的には、電力情報取得装置１０１Ａ、および電力情報取得装置１０１Ａの管理対象のＨＥＭＳ１０５Ａは、ＰＡネットワークＮＷ２Ａを形成する。また、電力情報取得装置１０１Ｂ、および電力情報取得装置１０１Ｂの管理対象のＨＥＭＳ１０５Ｂは、ＰＡネットワークＮＷ２Ｂを形成する。
【００６６】
すなわち、電力情報取得装置１０１およびＨＥＭＳ１０５がどのＰＡネットワークに属しているかは、ＢアドレスにおけるＰＡＮ＿ＩＤによって判別することが可能である。以下、ＰＡネットワークＮＷ２において用いられるＰＡＮ＿ＩＤをＰＡＮ２＿ＩＤとも称する。
【００６７】
［電力情報取得装置の構成］
図５は、本発明の実施の形態に係る電力情報収集システムにおける電力情報取得装置の構成を示す図である。
【００６８】
図５を参照して、電力情報取得装置１０１は、通信部１と、通信制御部２と、記憶部３と、検索部４と、消費電力計測部５とを備える。
【００６９】
通信部１は、電力情報の送信先となるＨＥＭＳ１０５と通信する。また、通信部１は、電力情報の送信先となるコンセントレータ１０２と通信する。より詳細には、通信部１は、コンセントレータ１０２と直接通信することが可能であり、また、他の電力情報取得装置１０１を介してコンセントレータ１０２と通信することが可能である。
【００７０】
具体的には、通信部１は、たとえば、記憶部３が保持するルーティングテーブルを参照し、パケットの送受信を行う。通信部１は、通信制御部２から受けた情報をパケットに含めて当該情報の宛先となる他の装置へ送信する。また、通信部１は、他の装置から自己の電力情報取得装置１０１宛のパケットを受信し、受信したパケットから情報を取得して通信制御部２へ出力する。
【００７１】
また、通信部１は、通信信号の伝送品質を取得する。具体的には、通信部１は、たとえばＬＱＩ（Ｌｉｎｋ  Ｑｕａｌｉｔｙ  Ｉｎｄｉｃａｔｏｒ）、具体的にはＳＮ比を通信信号の伝送品質として計測する。
【００７２】
たとえば、通信部１は、検索部４からビーコンリクエスト送信命令を受けて、自己のＩＤを含むビーコンリクエストを作成し、作成したビーコンリクエストをブロードキャストする。ここで、ＩＤはＭＡＣ（Ｍｅｄｉａ  Ａｃｃｅｓｓ  Ｃｏｎｔｒｏｌ）アドレス等、装置を特定できる識別子である。
【００７３】
そして、通信部１は、送信したビーコンリクエストの応答として、差出元の装置のアドレスである差出元アドレスを含むビーコンを他の装置から受信すると、たとえば以下の処理を行う。
【００７４】
すなわち、通信部１は、ビーコンを受信した際の通信品質を示すＬＱＩを取得するとともに、ビーコンから差出元アドレスを取得する。たとえば、コンセントレータ１０２からのビーコンには差出元アドレスとしてＡアドレスが含まれ、ＨＥＭＳ１０５からの差出元アドレスにはＢアドレスが含まれ、また、他の電力情報取得装置１０１からの差出元アドレスにはＡアドレスおよびＢアドレスが含まれる。通信部１は、ビーコンリクエスト送信命令の応答として、ＬＱＩを差出元アドレスと対応付けて検索部４へ出力する。
【００７５】
また、通信部１は、たとえば、他の装置からビーコンリクエストを受信して、自己のアドレスを差出元アドレスとして含むビーコンをビーコンリクエストの送信元の装置へ送信する。この差出元アドレスには、たとえばＡアドレスおよびＢアドレスが含まれる。
【００７６】
以下、図２に示す電力情報取得装置１０１Ｂが行う各処理の一例を代表的に説明するが、他の電力情報取得装置１０１も同様の処理を行うことが可能である。
【００７７】
［検索処理］
電力情報取得装置１０１Ｂにおける通信制御部２は、自己の電力情報取得装置１０１Ｂの電源がオンになった後等のタイミングにおいて、電力情報を送信すべきコンセントレータ１０２との通信接続が確立されていない場合、以下の処理を行う。
【００７８】
すなわち、通信制御部２は、通信部１による通信信号の直接の送受信先である対象装置とすべきコンセントレータ１０２または他の電力情報取得装置１０１を決定するために、所定のトライ台数として５を含む検索命令を検索部４へ出力する。トライ台数の詳細については後述する。また、トライ台数の値は変更可能である。
【００７９】
検索部４は、通信制御部２から検索命令を受けて、対象装置とすべきコンセントレータ１０２または他の電力情報取得装置１０１を検索する。また、検索部４は、自己の電力情報取得装置１０１およびコンセントレータ１０２間における通信信号の伝送品質に基づいて対象装置を検索する。
【００８０】
具体的には、検索部４は、ビーコンリクエスト送信命令を通信部１へ出力する。検索部４は、ビーコンリクエスト送信命令の応答として、ＬＱＩおよび対応の差出元アドレスを通信部１から受けて、以下の処理を行う。
【００８１】
すなわち、検索部４は、通信部１から受けたＬＱＩおよび対応の差出元アドレスをまとめ、まとめた各装置のうち、対象装置の候補である候補装置をＡルートに絞るために、ＰＡＮ＿ＩＤに基づいて、差出元アドレスがＡアドレスを含むか否かを判別する。
【００８２】
具体的には、検索部４は、ＰＡＮ＿ＩＤが「０００１」または「０００２」である差出元アドレスをＡアドレスと判別し、また、ＰＡＮ＿ＩＤが「Ｆ０ＦＡ」または「Ｆ０ＦＢ」である差出元アドレスをＢアドレスと判別する。
【００８３】
検索部４は、差出元アドレスがＡアドレスを含む装置を、対象装置の候補である「候補装置」とする。
【００８４】
検索部４は、伝送品質に基づいて対象装置を検索する。具体的には、検索部４は、各装置を伝送品質に基づいて順位付けする。
【００８５】
検索部４は、通信制御部２から受けた検索命令に含まれるトライ台数が５であるので、１位から５位までの候補装置の情報を検索命令の応答として通信制御部２へ出力する。
【００８６】
［接続処理］
通信制御部２は、検索した対象装置と自己の電力情報取得装置１０１との通信接続を確立するための確立処理を行う。通信制御部２は、検索部４により順位付けされた各装置のうち、最上位から、設定された順位までの装置を対象装置として順番に通信接続の確立を試みる。
【００８７】
具体的には、通信制御部２は、検索命令の応答として１位から５位までの候補装置の情報を検索部４から受けて、１位から５位までの候補装置を対象装置として順番に通信接続の確立を試みる。ここでは、１位の装置がコンセントレータ１０２Ａであり、２位の装置が電力情報取得装置１０１Ａであるとする。
【００８８】
より詳細には、通信制御部２は、自己のＩＤを含む接続要求、具体的にはＪｏｉｎｉｎｇを作成し、作成した接続要求を含む通信信号を１位の候補装置へ通信部１経由で送信する。
【００８９】
通信制御部２は、コンセントレータ１０２Ａから通信部１経由で接続要求の応答メッセージを含む通信信号を受信して、コンセントレータ１０２Ａと認証情報のやり取りを行い、コンセントレータ１０２Ａから認証を受けることによりコンセントレータ１０２Ａとの通信接続を確立する。
【００９０】
また、通信制御部２は、コンセントレータ１０２Ａから応答メッセージを受信できないか、または、コンセントレータ１０２Ａとの認証情報のやり取りができないことにより、コンセントレータ１０２Ａとの通信接続の確立に失敗しても、コンセントレータ１０２Ａとの通信接続の確立を所定のリトライ回数試みる。ここで、リトライ回数は変更可能である。
【００９１】
通信制御部２は、コンセントレータ１０２Ａとの通信接続の確立を所定のリトライ回数試みた結果、すべて失敗した場合、２位の候補装置すなわち電力情報取得装置１０１Ａへ接続要求を含む通信信号を通信部１経由で送信する。
【００９２】
電力情報取得装置１０１Ａは、電力情報取得装置１０１Ｂから接続要求を含む通信信号を受信して、受信した通信信号における接続要求に含まれるＩＤを用いて電力情報取得装置１０１Ｂと情報のやり取りを行う。これにより、電力情報取得装置１０１Ｂおよび電力情報取得装置１０１Ａ間の通信接続が確立する。
【００９３】
そして、電力情報取得装置１０１Ａは、自己が有するコンセントレータ１０２Ａへの通信ルートの情報を用いて、接続要求をコンセントレータ１０２Ａへ送信する。より詳細には、電力情報取得装置１０１Ａは、たとえば図示しないルーティングテーブルを参照して、電力情報取得装置１０１Ｂから受信した接続要求をコンセントレータ１０２Ａへ送信する。
【００９４】
電力情報取得装置１０１Ａは、たとえばコンセントレータ１０２Ａから接続要求の応答メッセージを受信して、受信した応答メッセージを含む通信信号を電力情報取得装置１０１Ｂへ送信する。そして、電力情報取得装置１０１Ａは、電力情報取得装置１０１Ｂおよびコンセントレータ１０２Ａ間でやり取りされる認証情報を中継する。
【００９５】
通信制御部２は、このようにして、１位から５位までの各装置に対して通信接続を確立することを所定のリトライ回数を上限として試みる。
【００９６】
たとえば、通信制御部２は、１位から５位までの各装置に対して通信接続を確立することを所定のリトライ回数試みた結果、すべて失敗した場合、再びトライ台数として５を含む検索命令を検索部４へ出力する。
【００９７】
なお、たとえばＢルートにおいても同様に、ＨＥＭＳ１０５からビーコンリクエストがブロードキャストされ、電力情報取得装置１０１からＨＥＭＳ１０５へビーコンが送信され、ＨＥＭＳ１０５から接続要求が電力情報取得装置１０１へ送信され、ＨＥＭＳ１０５および電力情報取得装置１０１間で認証情報がやり取りされ、ＨＥＭＳ１０５および電力情報取得装置１０１間の通信接続が確立する。
【００９８】
［電力情報の取得処理］
通信制御部２は、電力情報を取得する。具体的には、通信制御部２は、たとえば、消費電力計測部５から受けた消費電力の計測結果に基づいて電力情報を作成する。
【００９９】
たとえば、通信制御部２は、作成した電力情報を通信部１経由でＨＥＭＳ１０５へ送信し、また、作成した電力情報を通信部１経由でコンセントレータ１０２へ送信する。
【０１００】
ここで、電力情報収集システム２０１において、ＰＡＮ２＿ＩＤが複数の電力情報取得装置１０１間で重複した場合、前述のように、電力情報取得装置１０１において取得された電力情報が意図しないＨＥＭＳ１０５へ送られる可能性が生じる。
【０１０１】
特に、電力情報収集システム２０１においては、電力線通信を用いることから、電力情報取得装置１０１の起動時には同じＰＡＮ２＿ＩＤを使用する他の電力情報取得装置１０１が通信先として認識されていなかったが、居住者の変化等により電力線１６１におけるノイズ等の通信環境が変わり、他の電力情報取得装置１０１が通信先として認識されるようになる場合がある。
【０１０２】
具体例として、たとえば図２において電力情報取得装置１０１Ｃ，１０１ＤでＰＡＮ２＿ＩＤが重複すると、電力情報取得装置１０１Ｃ，１０１Ｄから送信された電力情報をＨＥＭＳ１０５Ｃ，１０５Ｄの両方が受信してしまう可能性がある。
【０１０３】
ＨＥＭＳ１０５Ｃ，１０５Ｄで電力情報の暗号化に使用される暗号鍵が異なる場合には、一方のＨＥＭＳ１０５において電力情報を破棄することが可能である一方で、このような処理が必要となり、また、暗号化鍵が何らかの理由により重複して設定される可能性もある。
【０１０４】
また、ＨＥＭＳ１０５が、Ｂルートにおける親装置である電力情報取得装置１０１を、ＭＡＣアドレス等を使用せずにＰＡＮ＿ＩＤのみで検索する構成である場合、親装置を検索できなくなる可能性がある。
【０１０５】
そこで、本発明の実施の形態に係る電力情報取得装置では、以下のような構成および動作により、このような課題を解決する。
【０１０６】
［ＢルートのＰＡＮ＿ＩＤの設定処理］
通信制御部２は、自己の電力情報取得装置１０１の起動時において、ＰＡネットワークＮＷ２における使用中のＰＡＮ２＿ＩＤの通知を他の１または複数の電力情報取得装置１０１から受ける取得処理を行う。
【０１０７】
より詳細には、たとえば、通信制御部２は、自己の電力情報取得装置１０１の電源オンまたは電力情報取得装置１０１に対する再起動命令によって起動し、ビーコンリクエスト送信命令を通信部１へ出力する。そして、通信制御部２は、前述のような各装置からのビーコンに含まれるＰＡＮ２＿ＩＤを取得する。ここで、通信制御部２は、差し出し元アドレスにおけるショートアドレスにより、電力情報取得装置１０１およびＨＥＭＳ１０５の別等、ビーコンの送信元の装置を判別することができる。
【０１０８】
なお、通信制御部２は、ビーコンリクエストに限らず、ＰＡネットワークＮＷ２における使用中のＰＡＮ２＿ＩＤを他の装置から通知させる情報を送信する構成であればよい。また、他の装置から電力情報取得装置１０１へ通知されるＰＡＮ２＿ＩＤは、他の装置からユニキャストされてもよいし、ブロードキャストされてもよい。
【０１０９】
通信制御部２は、取得処理において取得された１または複数のＰＡＮ２＿ＩＤと重複しないＰＡＮ２＿ＩＤを自己の電力情報取得装置１０１のＰＡＮ２＿ＩＤとして設定する設定処理を行う。通信制御部２は、設定したＰＡＮ２＿ＩＤを記憶部３に保存する。
【０１１０】
通信部１は、同じＰＡネットワークＮＷ２に属するＨＥＭＳ１０５と、当該ＰＡネットワークＮＷ２の識別情報であるＰＡＮ２＿ＩＤを用いて電力線１６１経由で通信する。
【０１１１】
なお、通信制御部２は、最初の起動時に限らず、電力情報取得装置１０１の再起動時において取得処理および設定処理を行ってもよい。また、通信制御部２は、設定処理の実行後、定期的または不定期に取得処理および設定処理を行ってもよい。
【０１１２】
［動作］
電力情報収集システム２０１における各装置は、コンピュータを備え、当該コンピュータにおけるＣＰＵ等の演算処理部は、以下のシーケンス図またはフローチャートの各ステップの一部または全部を含むプログラムを図示しないメモリからそれぞれ読み出して実行する。これら複数の装置のプログラムは、それぞれ、外部からインストールすることができる。これら複数の装置のプログラムは、それぞれ、記録媒体に格納された状態で流通する。
【０１１３】
図６は、本発明の実施の形態に係る電力情報収集システムにおけるネットワーク識別情報の設定シーケンスの一例を示す図である。図６は、電力情報取得装置１０１ＣがＢルートのＰＡＮ２＿ＩＤを設定する例を示している。
【０１１４】
図６を参照して、まず、電力情報取得装置１０１Ｃは、起動すると（ステップＳ１）、ビーコンリクエストをブロードキャストする。このビーコンリクエストは、前述のようなコンセントレータ１０２との通信接続を確立するために送信されるものであってもよいし、コンセントレータ１０２との通信接続を確立した後に別途送信されるものであってもよい（ステップＳ２）。
【０１１５】
次に、電力情報取得装置１０１Ｂ，１０１Ｄ，１０１Ａは、電力情報取得装置１０１Ｃからブロードキャストされたビーコンリクエストを受信し、自己のアドレスを差出元アドレスとして含むビーコンを電力情報取得装置１０１Ｃへ送信する（ステップＳ３〜Ｓ５）。
【０１１６】
次に、電力情報取得装置１０１Ｃは、電力情報取得装置１０１Ｂ，１０１Ｄ，１０１Ａからビーコンを受信して、自己のＰＡＮ２＿ＩＤを設定する設定処理を行う。より詳細には、電力情報取得装置１０１Ｃは、電力情報取得装置１０１Ｂ，１０１Ｄ，１０１Ａからのビーコンに含まれるＰＡＮ２＿ＩＤを取得し、取得した各ＰＡＮ２＿ＩＤと重複しないＰＡＮ２＿ＩＤを自己のＰＡＮ２＿ＩＤとして決定し、決定したＰＡＮ２＿ＩＤを保持する（ステップＳ６）。
【０１１７】
次に、電力情報取得装置１０１Ｃは、設定したＰＡＮ２＿ＩＤを用いて、自己との通信接続を別途確立した同じＰＡネットワークＮＷ２におけるＨＥＭＳ１０５Ｃと通信を行う（ステップＳ７）。
【０１１８】
次に、電力情報取得装置１０１Ｃは、定期的または不定期に取得処理および設定処理を行う（ステップＳ８およびＳ９）。
【０１１９】
次に、電力情報取得装置１０１Ｃは、保守等の理由により、電源がオフされ、動作を停止する（ステップＳ１０）。
【０１２０】
次に、電力情報取得装置１０１Ｃは、電源がオンされ、再起動する。たとえば、電力情報取得装置１０１Ｃは、動作停止前のＰＡネットワークＮＷ１，ＮＷ２のＰＡＮ＿ＩＤを記憶部３において保持しており、これらを自己のＰＡＮ＿ＩＤとして設定する。これにより、たとえば電力情報収集システム２０１における各装置が停電からの復旧等により一斉に再起動された場合において、互いのＰＡＮ＿ＩＤの確認等を行うことができるため、円滑なシステムの立ち上げを実現することができる（ステップＳ１１）。
【０１２１】
次に、電力情報取得装置１０１Ｃは、取得処理および設定処理を行う。なお、電力情報取得装置１０１Ｃは、再起動してすぐに取得処理および設定処理を行ってもよいし、再起動してからランダムな待機時間が経過した後、取得処理および設定処理を行ってもよい（ステップＳ１２およびＳ１３）。
【０１２２】
なお、電力情報取得装置１０１Ｃが、再起動してすぐに取得処理および設定処理を行う場合、ＰＡＮ２＿ＩＤの重複を早期に解消することができる。また、電力情報取得装置１０１Ｃが、再起動してからランダムな待機時間が経過した後、取得処理および設定処理を行う場合、たとえば電力情報収集システム２０１における各装置が停電からの復旧等により一斉に再起動された場合において、ネットワークの負荷を低減することができる。
【０１２３】
図７は、本発明の実施の形態に係る電力情報取得装置が取得処理および設定処理を行う際の動作手順を定めたフローチャートである。
【０１２４】
通信制御部２は、設定処理において、取得処理において取得された１または複数のＰＡＮ２＿ＩＤに前回設定したＰＡＮ２＿ＩＤと同じＰＡＮ２＿ＩＤが含まれている場合、取得された各ＰＡＮ２＿ＩＤと異なる新たなＰＡＮ２＿ＩＤを設定する。また、通信制御部２は、同じＰＡＮ２＿ＩＤが含まれていない場合、前回のＰＡＮ２＿ＩＤの設定を維持する。
【０１２５】
より詳細には、図７を参照して、まず、通信制御部２は、記憶部３にネットワークＮＷ２のＰＡＮ２＿ＩＤが保存されているか否かを確認する（ステップＳ２１）。
【０１２６】
次に、通信制御部２は、電力情報取得装置１０１の最初の起動時等、記憶部３にネットワークＮＷ２のＰＡＮ２＿ＩＤが保存されていない場合（ステップＳ２１でＮＯ）、取得処理（ステップＳ２２）および設定処理（ステップＳ２３）を行う。
【０１２７】
一方、通信制御部２は、電力情報取得装置１０１の再起動時および定期的なタイミングの到来時等、記憶部３にネットワークＮＷ２のＰＡＮ２＿ＩＤが保存されている場合（ステップＳ２１でＹＥＳ）、当該ＰＡＮ２＿ＩＤを自己のＰＡＮ２＿ＩＤとして設定する（ステップＳ２４）。
【０１２８】
次に、通信制御部２は、取得処理を行い（ステップＳ２５）、取得処理において取得された１または複数のＰＡＮ２＿ＩＤに、設定しているＰＡＮ２＿ＩＤと同じＰＡＮ２＿ＩＤが含まれている場合（ステップＳ２６でＹＥＳ）、取得された各ＰＡＮ２＿ＩＤと異なる新たなＰＡＮ２＿ＩＤを設定し、記憶部３におけるＰＡネットワークＮＷ２のＰＡＮ２＿ＩＤを変更する（ステップＳ２７）。
【０１２９】
一方、通信制御部２は、取得処理において取得された１または複数のＰＡＮ２＿ＩＤに、設定しているＰＡＮ２＿ＩＤと同じＰＡＮ２＿ＩＤが含まれていない場合（ステップＳ２６でＮＯ）、ＰＡＮ２＿ＩＤの設定を維持する（ステップＳ２８）。
【０１３０】
なお、本発明の実施の形態に係る電力情報取得装置では、電力情報取得装置１０１の最初の起動時、再起動時、および起動後の定期的または不定期なタイミングの到来において取得処理および設定処理を行う構成であるとしたが、これに限定するものではない。電力情報取得装置１０１は、最初の起動時、および再起動時のいずれか一方において取得処理および設定処理を行う構成であってもよい。また、電力情報取得装置１０１は、自己の起動後の定期的または不定期なタイミングの到来において取得処理および設定処理を行わない構成であってもよい。
【０１３１】
ところで、たとえば非特許文献２に記載のシステムにおいて、ネットワーク識別情報が複数の装置間で重複した場合、スマートメータにおいて取得された電力情報が意図しないＨＥＭＳへ送られる可能性がある。しかしながら、非特許文献２には、ＰＬＣを利用したシステムにおいて、このような問題点を解決するための構成は開示されていない。
【０１３２】
これに対して、本発明の実施の形態に係る電力情報取得装置では、通信部１は、同じＰＡネットワークＮＷ２に属するＨＥＭＳ１０５であって電力情報の送信先となるＨＥＭＳ１０５と、当該ＰＡネットワークの識別情報であるＰＡＮ２＿ＩＤを用いて電力線１６１経由で通信する。通信制御部２は、電力情報取得装置１０１の起動時において、使用中のＰＡＮ２＿ＩＤの通知を他の１または複数の電力情報取得装置１０１から受ける取得処理を行う。そして、通信制御部２は、取得処理において取得された１または複数のＰＡＮ２＿ＩＤと重複しないＰＡＮ２＿ＩＤを自己の電力情報取得装置１０１のＰＡＮ２＿ＩＤとして設定する設定処理を行う。
【０１３３】
このように、電力情報取得装置１０１の起動時において、他の電力情報取得装置１０１において使用中のＰＡＮ２＿ＩＤを他の電力情報取得装置１０１から通知させ、使用中のＰＡＮ２＿ＩＤと重複しないように自己のＰＡＮ２＿ＩＤを設定する構成により、電力情報取得装置１０１間のＰＡＮ２＿ＩＤの重複を防ぎ、電力情報取得装置１０１において取得された電力情報が意図しないＨＥＭＳ１０５へ送られることを防ぐことができる。
【０１３４】
したがって、本発明の実施の形態に係る電力情報取得装置では、ネットワーク識別情報を用いた電力線通信を行う構成において、装置間の良好な通信を実現することができる。
【０１３５】
また、本発明の実施の形態に係る電力情報取得装置では、通信制御部２は、電力情報取得装置１０１の再起動時において取得処理および設定処理を行う。そして、通信制御部２は、設定処理において、取得処理において取得された１または複数のＰＡＮ２＿ＩＤに前回設定したＰＡＮ２＿ＩＤと同じＰＡＮ２＿ＩＤが含まれている場合、新たなＰＡＮ２＿ＩＤを設定し、同じＰＡＮ２＿ＩＤが含まれていない場合、ＰＡＮ２＿ＩＤの設定を維持する。
【０１３６】
このように、電力情報取得装置１０１の起動時のうち、特に再起動時において取得処理および設定処理を行う構成により、電力情報取得装置１０１の最初の起動時には同じＰＡＮ２＿ＩＤを使用する他の電力情報取得装置１０１が通信先として存在しなかったが、居住者の変化等により電力線１６１におけるノイズ等の通信環境が変わり、他の電力情報取得装置１０１が通信先として存在するようになった場合において、電力情報取得装置１０１間のＰＡＮ２＿ＩＤの重複を効果的に排除することができる。
【０１３７】
また、本発明の実施の形態に係る電力情報取得装置では、通信制御部２は、設定処理の実行後、定期的または不定期に取得処理および設定処理を行う。そして、通信制御部２は、設定処理において、取得処理において取得された１または複数のＰＡＮ２＿ＩＤに前回設定したＰＡＮ２＿ＩＤと同じＰＡＮ２＿ＩＤが含まれている場合、新たなＰＡＮ２＿ＩＤを設定し、同じＰＡＮ２＿ＩＤが含まれていない場合、ＰＡＮ２＿ＩＤの設定を維持する。
【０１３８】
このように、電力情報取得装置１０１の起動時に加えて、その後の運用時において引き続き取得処理および設定処理を行う構成により、居住者の電気機器の使用状況の変化等により電力線１６１におけるノイズ等の通信環境が変わり、他の電力情報取得装置１０１が通信先として存在するようになった場合において、電力情報取得装置１０１間のＰＡＮ２＿ＩＤの重複を効果的に排除することができる。
【０１３９】
また、本発明の実施の形態に係る通信制御方法では、まず、電力情報取得装置１０１の起動時において、使用中のＰＡＮ２＿ＩＤの通知を他の１または複数の電力情報取得装置１０１から受ける取得処理を行う。次に、取得処理において取得した１または複数のＰＡＮ２＿ＩＤと重複しないＰＡＮ２＿ＩＤを自己の電力情報取得装置１０１のＰＡＮ２＿ＩＤとして設定する。次に、同じネットワークに属し、かつ電力情報の送信先となるＨＥＭＳ１０５と、設定したＰＡＮ２＿ＩＤを用いて電力線１６１経由で通信する。
【０１４０】
このように、電力情報取得装置１０１の起動時において、他の電力情報取得装置１０１において使用中のＰＡＮ２＿ＩＤを他の電力情報取得装置１０１から通知させ、使用中のＰＡＮ２＿ＩＤと重複しないように自己のＰＡＮ２＿ＩＤを設定する方法により、電力情報取得装置１０１間のＰＡＮ２＿ＩＤの重複を防ぎ、電力情報取得装置１０１において取得された電力情報が意図しないＨＥＭＳ１０５へ送られることを防ぐことができる。
【０１４１】
したがって、本発明の実施の形態に係る通信制御方法では、ネットワーク識別情報を用いた電力線通信を行う構成において、装置間の良好な通信を実現することができる。
【０１４２】
上記実施の形態は、すべての点で例示であって制限的なものではないと考えられるべきである。本発明の範囲は、上記説明ではなく特許請求の範囲によって示され、特許請求の範囲と均等の意味および範囲内でのすべての変更が含まれることが意図される。
【０１４３】
以上の説明は、以下に付記する特徴を含む。
［付記１］
電力情報を取得する電力情報取得装置であって、
同じネットワークに属する子装置であって前記電力情報の送信先となる子装置と、前記ネットワークの識別情報を用いて電力線経由で通信する通信部と、
前記電力情報取得装置の起動時において、使用中の前記識別情報の通知を他の１または複数の前記電力情報取得装置から受ける取得処理を行う通信制御部とを備え、
前記通信制御部は、前記取得処理において取得した１または複数の前記識別情報と重複しない前記識別情報を自己の前記電力情報取得装置の前記識別情報として設定する設定処理を行い、
前記通信制御部は、前記取得処理において、前記電力情報の他の送信先となる親装置、または前記親装置への前記電力情報の中継先となる他の前記電力情報取得装置を検索するためのビーコンリクエストをブロードキャストし、前記ビーコンリクエストに対する応答であるビーコンを受信し、受信した前記ビーコンに含まれる前記識別情報を取得する、電力情報取得装置。
【符号の説明】
【０１４４】
１  通信部
２  通信制御部
３  記憶部
４  検索部
５  消費電力計測部
１０１  電力情報取得装置
１０２  コンセントレータ
１０３  サーバ
１０５  ＨＥＭＳ
１５１  集合住宅
１６１Ａ，１６１Ｂ  電力線
２０１  電力情報収集システム
【図１】
2018207652.tif 000003
【図２】
2018207652.tif 000004
【図３】
2018207652.tif 000005
【図４】
2018207652.tif 000006
【図５】
2018207652.tif 000007
【図６】
2018207652.tif 000008
【図７】
2018207652.tif 000009